(57)【特許請求の範囲】
【請求項１】
種々の立坑に沿って設置している固定梯子の上部に連設されている可動梯子に安全ブロックを取り付けるための、可動梯子用の安全ブロック取付治具であり、可動梯子を形成する２本の縦支柱の上端部分にそれぞれ固定される一対の掛止体と、一対の掛止体の間に固定される安全ブロックの吊り下げ棒により構成され、
一対の掛止体は、縦支柱の上端部分に当がう装着部と、装着部から側方に向けて延設された張出片から形成され、
安全ブロックの吊り下げ棒は、安全ブロックのスライド防止部材を備え、掛止体を形成している張出片の先端側部分に固定されていることを特徴とする、可動梯子用の安全ブロック取付治具。
【請求項２】
掛止体の装着部は、矩形状の垂設板と、垂設板の両端部分から側方に向けて延設された一対の挟持片を備え、垂設板は、可動梯子の横棧に上方から係止する切り欠き溝を有する請求項１に記載の可動梯子用の安全ブロック取付治具。
【請求項３】
掛止体の装着部は、垂設板と一対の挟持片の上端部に、天板を固定している請求項１または２に記載の可動梯子用の安全ブロック取付治具。
【請求項４】
可動梯子を形成する２本の縦支柱に所定の貫通孔を設ける一方、掛止体を形成する装着部の一対の挟持片に孔を設け、縦支柱の上端部分に掛止体を当がい、縦支柱の貫通孔と挟持片の孔を合致させた状態で、ボルト部材の軸部を貫挿して軸部の先端側にナットを螺合させている請求項１乃至３のいずれかに記載の可動梯子用の安全ブロック取付治具。
【請求項５】
掛止体を形成する張出片の先端側部分に孔を設ける一方、安全ブロックの吊り下げ棒の両端部分に雄ネジ部分を設け、両張出片の間に安全ブロックの吊り下げ棒を当がい、張出片の孔に吊り下げ棒の雄ネジ部分を貫挿し、雄ネジ部分に螺合している２個のナットにより張出片の孔の周辺を挟持している請求項１乃至４のいずれかに記載の可動梯子用の安全ブロック取付治具。
【請求項６】
安全ブロックの吊り下げ棒のスライド防止部材は、所定の間隔を保持して吊り下げ棒に固定された２枚の環板により形成されている請求項１乃至５のいずれかに記載の可動梯子用の安全ブロック取付治具。
【請求項７】
スライド防止部材は、安全ブロックの吊り下げ棒の略中央部分に配置され、吊り下げ棒におけるスライド防止部材の両側部分は、作業員が手で握る持ち手部分となっている請求項１乃至６のいずれかに記載の可動梯子用の安全ブロック取付治具。
【請求項８】
種々の立坑に沿って設置している固定梯子の上部に連設されている可動梯子に安全ブロックを取り付けるための、可動梯子用の安全ブロック取付治具であり、可動梯子を形成する２本の縦支柱の上端部分に直接固定した一対の張出片と、一対の張出片の先端側部分に固定した安全ブロックの吊り下げ棒により構成され、
安全ブロックの吊り下げ棒は、安全ブロックのスライド防止部材を備えていることを特徴とする、可動梯子用の安全ブロック取付治具。
【請求項９】
安全ブロックの吊り下げ棒のスライド防止部材は、所定の間隔を保持して吊り下げ棒に固定された２枚の環板により形成されている請求項８に記載の可動梯子用の安全ブロック取付治具。
【請求項１０】
スライド防止部材は、安全ブロックの吊り下げ棒の略中央部分に配置され、吊り下げ棒におけるスライド防止部材の両側部分は、作業員が手で握る持ち手部分となっている請求項８または９に記載の可動梯子用の安全ブロック取付治具。
【発明の詳細な説明】
【技術分野】
【０００１】
本発明は、ケーブルを地下に敷設している設備に設けられている換気孔や、マンホール等の種々の立坑に設置している固定梯子の上部に連設されている可動梯子に安全ブロックを取り付けるための、可動梯子用の安全ブロック取付治具に関するものである。
【背景技術】
【０００２】
ケーブルを地中に敷設している設備に設けられている換気孔や、マンホール等の種々の立坑１００には、例えば、図９に示すように、固定梯子１０１や、この固定梯子１０１の上部に連設されている可動梯子１０２が存在している。
【０００３】
この固定梯子１０１や可動梯子１０２は、いずれも２本の縦支柱１０３と、縦支柱１０３の間に所定の間隔を開けて配置された複数の横棧１０４により構成されている。
【０００４】
可動梯子１０２は、固定梯子１０１よりも若干幅狭に構成されて、固定梯子１０１の上部に連設されている。この可動梯子１０２は、自身の縦支柱１０３の上端が、固定梯子１０１の縦支柱１０３の上端に並んで立坑１００内に収容されている位置から、図９に示すように、上方に移動して、蓋１０５を開けている立坑１００から突出できるように固定梯子１０１に取り付けられている。
【０００５】
尚、可動梯子１０２を使用しないときは、可動梯子１０２の縦支柱１０３の上端が、固定梯子１０１の縦支柱１０３の上端に並ぶ位置まで移動して立坑１００内に収容され、立坑１００の蓋１０５が閉じられる。
【０００６】
そして、立坑１００に設置されている固定梯子１０１や可動梯子１０２を介して作業員Ｓが昇降するとき、作業員Ｓが足を滑らせる等して、誤って固定梯子１０１や可動梯子１０２から落下してしまう危険性がある。
【０００７】
その為、作業員Ｓの落下防止対策を施す必要がある。
【０００８】
この一対策として、例えば、図１０に示すように、作業員Ｓが装着している安全ベルト１０６に、２個の安全装置１０７を取り付けることがある。
【０００９】
安全装置１０７は、装置内に収容されているロープ１０８と、ロープ１０８の先端に取り付けたフック１０９を備えている。このロープ１０８は、装置内からの引き出しと、装置内への引き戻しが自在となっている。
【００１０】
この安全装置１０７を使用して作業員Ｓが可動梯子１０２を昇降するとき、例えば、図１０に示すように、それぞれの安全装置１０７からロープ１０８を所定の長さに引き出し、２個のフック１０９を可動梯子１０２の横棧１０４に段違いとなるように引っ掛けて、作業員Ｓの安全を確保しながら、作業員Ｓが可動梯子１０２を昇降するのである。
【００１１】
この他、作業員Ｓの落下を防止するものとして、特許文献１に示すような、安全帯付き垂直昇降用梯子２００が存在する。この垂直昇降用梯子２００は、図１１（ａ）に示すように、２本の縦支柱２０１間に、横棧２０２を複数配置したもので、支縦支柱２０１は、断面が略Ｉ形のアルミニウム合金製の形材から成る。
【００１２】
また、図１１（ａ）に示すように、縦支柱２０１の一方に安全器２０３を介して安全帯２０４を取り付けており、図１１（ｂ）に示すように、他端のフック状の掛止装置２０５を、梯子２００を昇降する作業員Ｓのベルト位置等に掛け止めする。
【００１３】
安全器２０３は、略Ｉ形断面の縦支柱２０１のフランジ部分をレール部として上下方向に移動自在になっているが、作業員Ｓが足を滑らす等したときに、作業員Ｓの体重による下向きの荷重が生じると、安全器２０３のリンク機構が働き、レール部を挟み込んで安全器２０３の移動を阻止し、作業員Ｓの墜落を防止している。
【００１４】
また、作業員Ｓの落下を防止するものとして、特許文献２に示すような、マンホール用梯子３００も存在する。このマンホール用梯子３００は、図１２（ａ）に示すように、梯子３００の側面にストッパー兼用連結部材３０１を介して、安全帯のフック取付杆３０２を設けたものである。
【００１５】
このフック取付杆３０２は、図１２（ｂ）に示すように、複数のストッパー兼用連結部材３０１を介して梯子に取り付けられている。その為、図１２（ａ）に示すように、所定のロープを介して作業員Ｓ側のフック３０３をフック取付杆３０２に掛け止めすると、作業員Ｓが梯子から落下しても、フック３０３がストッパー兼用連結部材３０１によって梯子の途中で係止されるので、作業員Ｓの墜落を防止できるのである。
【先行技術文献】
【特許文献】
【００１６】
【特許文献１】特開平９−２０９６７２号公報
【特許文献２】実用新案登録第３１５７５９０号公報
【発明の概要】
【発明が解決しようとする課題】
【００１７】
しかしながら、図１０に示すように、作業員Ｓが身に付けている安全装置１０７からロープ１０８を所定の長さに引き出し、２個のフック１０９を可動梯子１０２の横棧１０４に段違いとなるように引っ掛けて、作業員Ｓの安全を確保する落下防止対策では、作業員Ｓが可動梯子１０２や固定梯子１０１を介して迅速に昇降することができないという弊害が生じている。
【００１８】
具体的には、２個のフック１０９を可動梯子１０２の横棧１０４に段違いとなるように引っ掛ける作業と、２個のフック１０９を横棧１０４から外して、再度、他の横棧１０４に段違いとなるように引っ掛ける作業を連続して行わなければならず、その手順が煩雑となることから、可動梯子１０２や固定梯子１０１を介した昇降に、時間を費やしてしまうのである。
【００１９】
この様な弊害を解消する措置として、可動梯子１０２の上部に、安全ブロック４００を設置することが望まれている。
【００２０】
この安全ブロック４００は、作業員Ｓが可動梯子１０２や固定梯子１０１を介して昇降しているときに、足を滑らせる等して落下しそうになった場合であっても、その落下を阻止して、事故の発生を未然に防止するものである。
【００２１】
一般的な安全ブロック４００は、例えば、図１３に示すように、ケース本体４０１と、このケース本体４０１内から引き出されているワイヤロープ４０２から構成されている。
【００２２】
ワイヤロープ４０２は、ケース本体４０１内に収容されている所定のドラムに巻回されており、ドラムの回転によるケース本体４０１内からの引き出しと、ケース本体４０１内への引き戻しが自在となっている。
【００２３】
ワイヤロープ４０２の先端部には、作業員Ｓが装着している安全ベルト１０６に掛け止めするフック４０３が取り付けられている。また、ケース本体４０１の上部には、固定リング４０４が取り付けられている。
【００２４】
この安全ブロック４００は、作業員Ｓが通常の速さで可動梯子１０２や固定梯子１０１を昇降しているときには、ワイヤロープ４０２がケース本体４０１から自動的に引き出され、また、ケース本体４０１に引き戻されて、作業員Ｓの昇降時にワイヤロープ４０２が邪魔にならないようにしている。
【００２５】
しかし、作業員Ｓが何らかの原因により可動梯子１０２や固定梯子１０１から落下して、ワイヤロープ４０２がケース本体４０１から勢い良く引き出されるような事態が生じると、ケース本体４０１は、例えば、ワイヤロープ４０２が約２５ｃｍ程度引き出された時点でワイヤロープ４０２の送り出しを停止して、作業員Ｓのそれ以上の落下を阻止するように作動するのである。
【００２６】
この様に、安全ブロック４００は、従来の弊害を解消しつつ、可動梯子１０２や固定梯子１０１を介した昇降時における作業員Ｓの安全を確保するための手段として非常に有効なものであるが、例えば、図９に示すように、蓋１０５を開けている立坑１００から可動梯子１０２が突出しているような状況において、可動梯子１０２の上部には、安全ブロック４００を吊り下げるようにして設置する部材が存在していない。
【００２７】
その為、可動梯子１０２や固定梯子１０１を使用するときに、可動梯子１０２に適宜取り付けて、可動梯子１０２に安全ブロック４００を吊り下げる治具が必要となるのである。
【００２８】
この他、図１１（ａ）（ｂ）に示す縦支柱２０１の一方に安全器２０３を取り付ける作業員Ｓの落下防止対策、また、図１２（ａ）（ｂ）に示す梯子３００の側面にストッパー兼用連結部材３０１を介して、安全帯のフック取付杆３０２を設けた作業員Ｓの落下防止対策は、いずれもその構造が複雑で、設置工事の費用が割高になってしまう。
【００２９】
その為、可動梯子１０２の上部に安全ブロック４００を吊り下げる措置に勝るものではない。
【００３０】
さらに、これらの落下防止対策は、建設の当初から講じていれば有効であるものの、既設の可動梯子１０２や固定梯子１０１においては、特別な機構を新たに設置する大掛かりな追加の工事が必要となってしまう。
【００３１】
その為、既設の可動梯子１０２や固定梯子１０１に対し、事後的に設置する措置として好ましいものではない。
【００３２】
加えて、特別な機構が可動梯子１０２や固定梯子１０１に沿って設置されることから、狭い立坑１００内において、既設の可動梯子１０２や固定梯子１０１に対して、そもそも設置できない場合もある。
【００３３】
そこで、本発明は如上のような従来存した諸事情に鑑み創出されたもので、既設の可動梯子に対し、所定の治具を適宜取り付けて安全ブロックを設置することにより、可動梯子や固定梯子を介した昇降時における作業員の安全を確保しながら、作業員が迅速に昇降することができ、また、当該治具の撤去も極めて容易である、可動梯子用の安全ブロック取付治具を提供することを目的とする。
【課題を解決するための手段】
【００３４】
本発明は、種々の立坑に沿って設置している固定梯子の上部に連設されている可動梯子に安全ブロックを取り付けるための、可動梯子用の安全ブロック取付治具であり、可動梯子を形成する２本の縦支柱の上端部分にそれぞれ固定される一対の掛止体と、一対の掛止体の間に固定される安全ブロックの吊り下げ棒により構成され、一対の掛止体は、縦支柱の上端部分に当がう装着部と、装着部から側方に向けて延設された張出片から形成され、安全ブロックの吊り下げ棒は、安全ブロックのスライド防止部材を備え、掛止体を形成している張出片の先端側部分に固定されていることで、上述した課題を解決した。
【００３５】
また、掛止体の装着部は、矩形状の垂設板と、垂設板の両端部分から側方に向けて延設された一対の挟持片を備え、垂設板は、可動梯子の横棧に上方から係止する切り欠き溝を有することで、同じく上述した課題を解決した。
【００３６】
さらに、掛止体の装着部は、垂設板と一対の挟持片の上端部に、天板を固定していることで、同じく上述した課題を解決した。
【００３７】
また、可動梯子を形成する２本の縦支柱に所定の貫通孔を設ける一方、掛止体を形成する装着部の一対の挟持片に孔を設け、縦支柱の上端部分に掛止体を当がい、縦支柱の貫通孔と挟持片の孔を合致させた状態で、ボルト部材の軸部を貫挿して軸部の先端側にナットを螺合させていることで、同じく上述した課題を解決した。
【００３８】
加えて、掛止体を形成する張出片の先端側部分に孔を設ける一方、安全ブロックの吊り下げ棒の両端部分に雄ネジ部分を設け、両張出片の間に安全ブロックの吊り下げ棒を当がい、張出片の孔に吊り下げ棒の雄ネジ部分を貫挿し、雄ネジ部分に螺合している２個のナットにより張出片の孔の周辺を挟持していることで、同じく上述した課題を解決した。
【００３９】
また、安全ブロックの吊り下げ棒のスライド防止部材は、所定の間隔を保持して吊り下げ棒に固定された２枚の環板により形成されていることで、同じく上述した課題を解決した。
【００４０】
さらに、スライド防止部材は、安全ブロックの吊り下げ棒の略中央部分に配置され、吊り下げ棒におけるスライド防止部材の両側部分は、作業員が手で握る持ち手部分となっていることで、同じく上述した課題を解決した。
この他、本発明は、種々の立坑に沿って設置している固定梯子の上部に連設されている可動梯子に安全ブロックを取り付けるための、可動梯子用の安全ブロック取付治具であり、可動梯子を形成する２本の縦支柱の上端部分に直接固定した一対の張出片と、一対の張出片の先端側部分に固定した安全ブロックの吊り下げ棒により構成され、安全ブロックの吊り下げ棒は、安全ブロックのスライド防止部材を備えていることで、同じく上述した課題を解決した。
また、安全ブロックの吊り下げ棒のスライド防止部材は、所定の間隔を保持して吊り下げ棒に固定された２枚の環板により形成されていることで、同じく上述した課題を解決した。
加えて、スライド防止部材は、安全ブロックの吊り下げ棒の略中央部分に配置され、吊り下げ棒におけるスライド防止部材の両側部分は、作業員が手で握る持ち手部分となっていることで、同じく上述した課題を解決した。
【発明の効果】
【００４１】
本発明は、種々の立坑に沿って設置している固定梯子の上部に連設されている可動梯子に安全ブロックを取り付けるための、可動梯子用の安全ブロック取付治具であり、可動梯子を形成する２本の縦支柱の上端部分にそれぞれ固定される一対の掛止体と、一対の掛止体の間に固定される安全ブロックの吊り下げ棒により構成されていることから、可動梯子を立坑から突出させて可動梯子と固定梯子を使用するときに、可動梯子を形成する２本の縦支柱に一対の掛止体を適宜固定して、当該一対の掛止体の間に安全ブロックの吊り下げ棒を簡単に固定できる。
【００４２】
そして、一対の掛止体の間に配置されている安全ブロックの吊り下げ棒に安全ブロックを吊り下げることにより、可動梯子に対して安全ブロックを設置することが可能となる。
【００４３】
その為、この安全ブロックを使用することにより、作業員は自身の安全を確保しながら、可動梯子や固定梯子を介して迅速に昇降することができる。
【００４４】
この様に、本発明に係る可動梯子用の安全ブロック取付治具を使用することにより、作業員の落下防止対策が何ら施されていない可動梯子に対して、安全ブロックを事後的に設置できるのである。
【００４５】
また、種々の作業が終了し、可動梯子を立坑内に収容して立坑を閉鎖するときには、安全ブロックを取り外して、可動梯子に取り付けている掛止体と吊り下げ棒を簡単に撤去できる。
【００４６】
さらに、一対の掛止体は、縦支柱の上端部分に当がう装着部を備えている為、縦支柱への取り付けが容易である。また、装着部から側方に向けて延設された張出片を備え、安全ブロックの吊り下げ棒が、張出片の先端側部分に固定されていることから、安全ブロックの吊り下げ棒を、可動梯子から若干離れた位置に配置できる。
【００４７】
その為、この吊り下げ棒に取り付ける安全ブロックも、立坑の中心に向けて張り出すように設置される。
【００４８】
その結果、安全ブロックからワイヤロープが長く引き出されている状況であっても、ワイヤロープが固定梯子等に引っ掛かったり、立坑の内壁に存在する部材に絡み付くことがない。
【００４９】
また、安全ブロックを立坑の中心に向けて張り出すように設置できることから、作業員が可動梯子や固定梯子を介して昇降する際に、安全ブロックのワイヤロープを、作業員の肩や背中側に配置できる。その為、作業員は、当該ワイヤロープの存在を意識することなく、迅速に昇降することができる。
【００５０】
特に、作業員が可動梯子の位置に存在し、安全ブロックのワイヤロープが短い場合であっても当該ワイヤロープを作業員の肩や背中側に配置できるので、作業員が可動梯子に乗り込むときや、可動梯子から離れるときにも、安全ブロックのワイヤロープが邪魔にならない。
【００５１】
また、安全ブロックの吊り下げ棒は、安全ブロックのスライド防止部材を備えていることから、このスライド防止部材に安全ブロックを吊り下げることにより、安全ブロックは、片寄ることが無く、常に立坑の中心に向けて張り出すように設置されている状態が維持される。
【００５２】
さらに、掛止体の装着部は、矩形状の垂設板と、垂設板の両端部分から側方に向けて延設された一対の挟持片を備えていることから、装着部を縦支柱の上端部に当がったときに、縦支柱の内側の側面に垂設板を当接した状態で、一対の挟持片により縦支柱の前後の側面を挟み込むことができる。
【００５３】
そして、装着部は、垂設板に可動梯子の横棧に上方から係止する切り欠き溝を有することから、可動梯子の横棧にこの切り欠き溝を当がうことにより、装着部が縦支柱に沿って下方へ移動することがない。
【００５４】
また、掛止体の装着部は、垂設板と一対の挟持片の上端部に、天板を固定していることから、装着部を縦支柱の上端部に当がったときに、縦支柱の内側の側面に垂設板が当接し、一対の挟持片により縦支柱の前後の側面を挟み込んだ状態で、縦支柱の上面に天板が当接することとなり、装着部が縦支柱に沿って下方へ移動することがない。
【００５５】
加えて、可動梯子を形成する２本の縦支柱に所定の貫通孔を設ける一方、掛止体を形成する装着部の一対の挟持片に孔を設け、縦支柱の上端部分に掛止体を当がい、縦支柱の貫通孔と挟持片の孔を合致させた状態で、ボルト部材の軸部を貫挿して軸部の先端側にナットを螺合させていることから、縦支柱の上端部分に掛止体を確実に固定できる。
【００５６】
この様に、掛止体の装着部を縦支柱の上端部に当がったときに、縦支柱の内側の側面に垂設板を当接した状態で、一対の挟持片により縦支柱の前後の側面を挟み込んで装着部の前後方向の移動が規制されおり、また、装着部の切り欠き溝が可動梯子の横棧に下方から支持され、同様に、装着部の天板が縦支柱の上面に下方から支持されて、装着部の下方向への移動が規制されている。
【００５７】
そして、縦支柱の貫通孔と挟持片の孔を合致させた状態で、ボルト部材の軸部を貫挿して軸部の先端側にナットを螺合させることにより、装着部の前後・左右・上下方向の移動が規制されて、縦支柱の上端部分に掛止体を確実に固定できるのである。
【００５８】
その結果、作業員が何らかの原因により可動梯子や固定梯子から落下し、作業員が安全ブロックのワイヤロープにより吊り下げられて安全ブロックに大きな荷重が加えられたような場合であっても、縦支柱の上端部分から掛止体が外れてしまう事態の発生を確実に阻止している。
【００５９】
そして、安全ブロックにより作業員の体重をしっかりと支えてその落下を阻止することにより、梯子を介した昇降時における作業員の安全を確保しているのである。
【００６０】
この他、掛止体を形成する張出片の先端側部分に孔を設ける一方、安全ブロックの吊り下げ棒の両端部分に雄ネジ部分を設け、両張出片の間に安全ブロックの吊り下げ棒を当がい、張出片の孔に吊り下げ棒の雄ネジ部分を貫挿し、雄ネジ部分に螺合している２個のナットにより張出片の孔の周辺を挟持していることから、張出片の孔に安全ブロックの吊り下げ棒を確実に固定できる。
【００６１】
その為、安全ブロックに大きな荷重が加えられた場合であっても、一対の掛止体の間に固定されている吊り下げ棒が外れてしまう事態の発生を確実に阻止している。
【００６２】
また、安全ブロックの吊り下げ棒のスライド防止部材は、所定の間隔を保持して吊り下げ棒に固定された２枚の環板により形成されていることから、吊り下げ棒に沿った安全ブロックの左右方向の移動を確実に規制できる。
【００６３】
さらに、スライド防止部材は、安全ブロックの吊り下げ棒の略中央部分に配置され、吊り下げ棒におけるスライド防止部材の両側部分は、作業員が手で握る持ち手部分となっていることから、作業員が可動梯子に乗り込むときに、吊り下げ棒の持ち手部分を手で握って、自らの安全を確保できる。また、可動梯子を昇ってきた作業員が地上に降りるときも、吊り下げ棒の持ち手部分を手で握って、体を引き上げることにより、自らの安全を確保しながら、迅速に可動梯子から離れることができる。
【図面の簡単な説明】
【００６４】
【図１】可動梯子用の安全ブロック取付治具の、使用状態を示す斜視図である。
【図２】一対の掛止体の構成を示す分解斜視図である。
【図３】一対の掛止体の間に、安全ブロックの吊り下げ棒を取り付ける状態を示す分解斜視図である。
【図４】安全ブロックの吊り下げ棒を取り付けている一対の掛止体を、可動梯子を形成する２本の縦支柱の上端部分に固定する状態を示す分解斜視図である。
【図５】安全ブロックの吊り下げ棒を取り付けている一対の掛止体を、可動梯子を形成する２本の縦支柱の上端部分に固定した状態を示す斜視図である。
【図６】一対の掛止体に取り付けている吊り下げ棒に、安全ブロックを吊り下げている状態を示す斜視図である。
【図７】可動梯子用の安全ブロック取付治具の、他の使用状態を示す斜視図である。
【図８】可動梯子用の安全ブロック取付治具の、他の構成を示す分解斜視図である。
【図９】立坑の蓋を開き、可動梯子を上方に移動させて立坑から突出させている状態を示す斜視図である。
【図１０】作業員が装着している安全ベルトに２個の安全装置を取り付け、それぞれの安全装置からロープを所定の長さに引き出し、２個のフックを可動梯子の横棧に段違いとなるように引っ掛けて昇降している状態を示す斜視図である。
【図１１】従来の垂直昇降用梯子の構成を示すもので、（ａ）は断面が略Ｉ形の２本の縦支柱の一方に、安全器を介して安全帯を取り付けている状態を示す斜視図、（ｂ）はフック状の掛止装置を作業員のベルト位置等に掛け止めして、作業員が昇降している状態を示す側面図である。
【図１２】従来のマンホール用梯子の構成を示すもので、（ａ）は梯子の側面にストッパー兼用連結部材を介して、安全帯のフック取付杆を設けている状態を示す斜視図、（ｂ）はフック取付杆が、複数のストッパー兼用連結部材を介して、梯子に取り付けられている状態を示す側面図である。
【図１３】安全ブロックの構成を示す斜視図である。
【発明を実施するための形態】
【００６５】
以下に、本発明を実施するための形態を、図面を参照して詳細に説明する。
【００６６】
本発明は、図１・図６に示すように、種々の立坑１００に沿って設置している固定梯子１０１の上部に連設されている可動梯子１０２に安全ブロック４００を取り付けるための、可動梯子１０２用の安全ブロック取付治具１である。
【００６７】
尚、立坑１００、固定梯子１０１、可動梯子１０２、安全ブロック４００等の構成は、既に説明済みであることから、同一の構成には同一の符号を付すことにより、その説明を省略する。
【００６８】
可動梯子１０２用の安全ブロック取付治具１は、図２乃至図４に示すように、可動梯子１０２を形成する２本の縦支柱１０３の上端部分にそれぞれ固定される一対の掛止体２と、一対の掛止体２の間に固定される安全ブロック４００の吊り下げ棒３により構成されている。
【００６９】
一対の掛止体２は、図２・図４に示すように、縦支柱１０３の上端部分に当がう装着部４と、装着部４から側方に向けて延設された張出片５から形成されている。
【００７０】
また、掛止体２の装着部４は、図２に示すように、矩形状の垂設板６と、垂設板６の両端部分から側方に向けて延設された一対の挟持片７を備えている。この一対の挟持片７は、長方形状で、垂設板６と一対の挟持片７により、装着部４の全体は、上方から見て略コ字状に形成されている。
【００７１】
さらに、垂設板６は、図２に示すように、切り欠き溝８を有している。この切り欠き溝８は、図４に示すように、可動梯子１０２の最上段に位置している横棧１０４に上方から係止するもので、垂設板６の下端部側が開放し、垂設板６の中程で閉鎖するように逆Ｕ字状に切り欠いて形成されている。
【００７２】
また、掛止体２の装着部４は、図２に示すように、垂設板６と一対の挟持片７の上端部に、長方形状の天板９を固定している。
【００７３】
装着部４は、縦支柱１０３の上端部分に当がうことから、図４・図５に示すように、垂設板６は縦支柱１０３の内側の側面１０３ａと同一の幅を有している。同様に、一対の挟持片７は、縦支柱１０３の前後の側面１０３ｂ，１０３ｃと同一の幅を有している。また、天板９も、縦支柱１０３の上面１０３ｄと同一の幅を有している。
【００７４】
加えて、一対の挟持片７の下方部分には、図２に示すように、それぞれに所定の孔１０を設けている。また、縦支柱１０３には、図４に示すように、所定の貫通孔１０３ｅを設けている。
【００７５】
これらの挟持片７の孔１０と縦支柱１０３の貫通孔１０３ｅは、縦支柱１０３の上端部分に掛止体２を当がったときに、それぞれが合致するように配置されている。
【００７６】
この掛止体２を固定するときは、図４・図５に示すように、縦支柱１０３の上端部分に掛止体２を当がい、縦支柱１０３の貫通孔１０３ｅと挟持片５の孔１０を合致させた状態で、ボルト部材Ｂの軸部Ｇを貫挿する。この軸部Ｇには、雄ネジが設けられている。
【００７７】
そして、挟持片５の孔１０と縦支柱１０３の貫通孔１０３ｅに挿入している軸部Ｇの先端にナットＮを螺合させて、縦支柱１０３の上端部分に掛止体２を固定するのである（図５参照）。
【００７８】
また、図２に示すように、装着部４を形成する一方の挟持片７（縦支柱１０３の側面１０３ｂに当接するもの）には、側方に向けて張出片５が延設されている。この張出片５は、挟持片７に対して９０度の角度を維持するように配置されている。
【００７９】
さらに、張出片５の先端側部分に、孔１１を設けている。この孔１１は、一対の掛止体２の間に、安全ブロック４００の吊り下げ棒３を固定するためのものである。
【００８０】
張出片５は、図２に示すように、その上縁が水平となるように延設されている。また、張出片５の下縁は、基端部側から先端部側にかけて上向きに若干傾斜しており、張出片５の全体として先端部側が僅かに細くなっている。
【００８１】
張出片５の孔１１を介して取り付ける安全ブロック４００の吊り下げ棒３は、可動梯子１０２全体の幅（縦支柱１０３・横棧１０４・縦支柱１０３）よりも若干長くなるように形成されている。
【００８２】
この吊り下げ棒３は、図３に示すように、その両端部分に、雄ネジ部分１２を設けている。この雄ネジ部分１２には、当該雄ネジ部分１２に螺合している２個のナットＮを備えている。また、２個のナットＮの間には、２個のワッシャＷが配置されている。
【００８３】
そして、図３・図４に示すように、両張出片５の間に安全ブロック４００の吊り下げ棒３を当がい、張出片５の孔１１に吊り下げ棒３の雄ネジ部分１２を貫挿し、雄ネジ部分１２に螺合している２個のナットＮにより張出片５の孔１１の周辺を挟持して、掛止体２を形成している張出片５の先端側部分に吊り下げ棒３を固定するのである。
【００８４】
この安全ブロック４００の吊り下げ棒３は、図３に示すように、安全ブロック４００のスライド防止部材１３を備えている。スライド防止部材１３は、所定の間隔を保持して吊り下げ棒３に固定された２枚の環板１３ａ，１３ｂにより形成されている。
【００８５】
また、スライド防止部材１３は、安全ブロック４００の吊り下げ棒３の略中央部分に配置されている。その為、吊り下げ棒３におけるスライド防止部材１３の両側部分は、作業員Ｓが手で握る持ち手部分となっている。
【００８６】
ここで、安全ブロック取付治具１を取り付ける可動梯子１０２は、十分な強度を確保できるようにステンレス素材のものを対象とするのが好ましい。さらに、安全ブロック取付治具１の各部材（一対の張出片５、吊り下げ棒３、スライド防止部材１３等）は、異種金属間腐食を防止できるように、可動梯子１０２を形成する素材と同一の素材を用いて形成されるのが好ましい。つまりステンレス素材の可動梯子１０２には、ステンレス素材の安全ブロック取付治具１の各部材を用いるのが最も好ましい。
【００８７】
以下に、可動梯子１０２を形成する２本の縦支柱１０３の上端部分に、可動梯子１０２用の安全ブロック取付治具１を組み付ける手順を説明する。
【００８８】
まず、図３に示すように、一対の掛止体２の張出片５の間に安全ブロック４００の吊り下げ棒３を当がい、張出片５の孔１１に吊り下げ棒３の雄ネジ部分１２を貫挿する。このとき、雄ネジ部分１２の基端部側にナットＮを螺合させ、ワッシャＷを配置しておく。
【００８９】
この様に、張出片５の内側にナットＮとワッシャＷを配置した状態で、吊り下げ棒３の雄ネジ部分１２の先端側を、張出片５の孔１１から突出させる。
【００９０】
次に、図３・図４に示すように、雄ネジ部分１２の先端側にワッシャＷを配置し、ナットＮを螺合させる。このとき、２個のワッシャＷが、張出片５の側面に強く当たっていない緩い状態にしておく。
【００９１】
この様にして、図４に示すように、一対の掛止体２の張出片５の間に安全ブロック４００の吊り下げ棒３を仮止めする。
【００９２】
次に、図４・図５に示すように、縦支柱１０３の上端部分に掛止体２を当がい、縦支柱１０３の貫通孔１０３ｅと挟持片５の孔１０を合致させた状態で、ボルト部材Ｂの軸部Ｇを貫挿する。
【００９３】
そして、挟持片５の孔１０と縦支柱１０３の貫通孔１０３ｅに挿入している軸部Ｇの先端にナットＮを螺合させて、縦支柱１０３の上端部分に掛止体２を固定する。
【００９４】
このとき、掛止体２は、縦支柱１０３の内側の側面１０３ａに垂設板６を当接した状態で、一対の挟持片７により縦支柱１０３の前後の側面１０３ｂ，１０３ｃを挟み込んで装着部４の前後方向の移動が規制されている。
【００９５】
また、装着部４の切り欠き溝８が、可動梯子１０２の最上段に位置している横棧１０４に下方から支持され、同様に、装着部４の天板９が縦支柱１０３の上面１０３ｄに下方から支持されて、装着部４の下方向への移動が規制されている。
【００９６】
そして、図４・図５に示すように、縦支柱１０３の貫通孔１０３ｅと挟持片７の孔１０を合致させた状態で、部材Ｂの軸部Ｇを貫挿して軸部Ｇの先端側にナットＮを螺合させることにより、装着部４の前後・左右・上下方向の移動が規制されて、縦支柱１０３の上端部分に掛止体２を確実に固定する。
【００９７】
次に、一対の掛止体２の張出片５の間に仮止めしている吊り下げ棒３を、確実に固定する。
【００９８】
具体的には、吊り下げ棒３の雄ネジ部分１２に螺合している２個のナットＮの位置を微調整しながら締め付けて、張出片５の孔１１の周辺に２個のワッシャＷを強く当て、張出片５の孔１１の周辺を２個のワッシャＷにより挟持して、掛止体２を形成している張出片５の先端側部分に吊り下げ棒３を固定するのである。
【００９９】
最後に、図６に示すように、吊り下げ棒３に安全ブロック４００を吊り下げるようにして取り付ける。
【０１００】
具体的には、吊り下げ棒３のスライド防止部材１３に安全ブロック４００の固定リング４０４を掛け止めして、スライド防止部材１３を形成する２枚の環板１３ａ，１３ｂの間に安全ブロック４００の固定リング４０４を取り付けるのである。
【０１０１】
この様にして、可動梯子１０２用の安全ブロック取付治具１を介して、可動梯子１０２に安全ブロック４００を取り付けてから、作業員Ｓは、安全ブロック４００のケース本体４０１内からワイヤロープ４０２を引き出して、自らが装着している安全ベルト１０６に、ワイヤロープ４０２のフック４０３を掛け止めする。この一連の作業は、地上において行う。
【０１０２】
そして、作業員Ｓが可動梯子１０２に乗り込むときは、スライド防止部材１３の両側部分である吊り下げ棒３の持ち手部分を手で握って、自らの安全を確保する。また、可動梯子１０２を昇ってきた作業員Ｓが地上に降りるときも、吊り下げ棒３の持ち手部分を手で握って、体を引き上げることにより、自らの安全を確保しながら、迅速に可動梯子１０２から離れる。
【０１０３】
また、作業員Ｓが可動梯子１０２を介して昇降するときは、図１に示すように、安全ブロック４００のワイヤロープ４０２を、作業員Ｓの肩や背中側に配置して、作業員Ｓが当該ワイヤロープ４０２の存在を意識することなく昇降する。
【０１０４】
さらに、図７に示すように、安全ブロック４００のワイヤロープ４０２が長く引き出されて、作業員Ｓが固定梯子１０１を介して昇降するときも、ワイヤロープ４０２が邪魔にならない。
【０１０５】
また、安全ブロック４００から長く引き出されているワイヤロープ４０２が、固定梯子等に引っ掛かったり、立坑の内壁に接することもない。
【０１０６】
尚、可動梯子１０２用の安全ブロック取付治具１は、図１乃至図７に示す形状のものに限定されることはない。
【０１０７】
例えば、図８に示すように、可動梯子１０２を形成している縦支柱１０３の外側の側面に、所定の長さを有する一対の張出片５０を直接固定して、安全ブロック取付治具１を構成しても良い。
【０１０８】
このとき、スライド防止部材１３を有する吊り下げ棒３０は、一対の張出片５０において、先端側の内側面に固定される。
【産業上の利用可能性】
【０１０９】
本発明に係る可動梯子用の安全ブロック取付治具は、可動梯子と固定梯子が設置されている様々な立坑において、可動梯子に安全ブロックを適宜取り付けて、安全ブロックにより自身の安全を確保した上で、作業員が迅速に昇降できるものとして、幅広く利用することができる。
【符号の説明】
【０１１０】
Ｓ…作業員
Ｂ…ボルト部材
Ｗ…ワッシャ
１００…立坑
１０１…定梯子
１０２…可動梯子
１０３…縦支柱
１０３ａ…側面
１０３ｂ…側面
１０３ｃ…側面
１０３ｄ…上面
１０３ｅ…貫通孔
１０４…横棧
１０５…蓋
１０６…安全ベルト
１０７…安全装置
１０８…ロープ
１０９…フック
２００…垂直昇降用梯子
２０１…縦支柱
２０２…横棧
２０３…安全器
２０４…安全帯
２０５…掛止装置
３００…マンホール用梯子
３０１…ストッパー兼用連結部材
３０２…フック取付杆
３０３…フック
４００…安全ブロック
４０１…ケース本体
４０２…ワイヤロープ
４０３…フック
４０４…固定リング
１…安全ブロック取付治具
２…掛止体
３…吊り下げ棒
４…装着部
５…張出片
６…垂設板
７…挟持片
８…切り欠き溝
９…天板
１０…孔
１１…孔
１２…雄ネジ部分
１３…スライド防止部材
１３ａ…環板
１３ｂ…環板
【図１】
0005429569.tif 000002
【図２】
0005429569.tif 000003
【図３】
0005429569.tif 000004
【図４】
0005429569.tif 000005
【図５】
0005429569.tif 000006
【図６】
0005429569.tif 000007
【図７】
0005429569.tif 000008
【図８】
0005429569.tif 000009
【図９】
0005429569.tif 000010
【図１０】
0005429569.tif 000011
【図１１】
0005429569.tif 000012
【図１２】
0005429569.tif 000013
【図１３】
0005429569.tif 000014